(57)【要約】【課題】プリンターの同機種のみに対応可能な各専用ファイルをそれぞれ対応可能な各プリンターにそれぞれ同時に転送させることができる一括ファイル転送方法を提供すること。【解決手段】一括ファイル４１０が転送される際に、パーソナルコンピューター１０１は、一括ファイル４１０中に存在する専用ファイル（各圧縮ファイル４１１Ａ，４１１Ｃ，４１１Ｄ）の各々について、当該専用ファイルに対応可能な機種であるプリンター（第１プリンター１１Ａ，第３プリンター１１Ｃ，第４プリンター１１Ｄ）が接続されていることを検出したときは、一括ファイル４１０中に存在する当該専用ファイル（各圧縮ファイル４１１Ａ，４１１Ｃ，４１１Ｄ）を検出の対象となったプリンター（第１プリンター１１Ａ，第３プリンター１１Ｃ，第４プリンター１１Ｄ）にそれぞれ転送する。【選択図】図３
2011210184.tif 000002
【特許請求の範囲】
【請求項１】
圧縮された複数のファイルがそれぞれ独立した状態でパッケージされている一括ファイルをパーソナルコンピューターから前記パーソナルコンピューターに接続された一又は複数のプリンターに転送させる際に、前記パーソナルコンピューターが以下（１）〜（３）の各処理を実行する一括ファイル転送方法であって、
（１）前記プリンターの同機種のみに対応可能な専用ファイルを前記プリンターの機種に応じて作成し、
（２）前記専用ファイルの各々を前記複数のファイルとして前記一括ファイルを作成し、
（３）前記一括ファイルを転送する際には、前記一括ファイル中に存在する前記専用ファイルの各々について、当該専用ファイルに対応可能な機種である前記プリンターが接続されていることを検出したときは、前記一括ファイル中に存在する当該専用ファイルを前記検出の対象となった前記プリンターに転送する、
ことを特徴とする一括ファイル転送方法。
【請求項２】
請求項１に記載する一括ファイル転送方法であって、
前記一括ファイルは、
前記専用ファイルの各々を前記複数のファイルとしてそれぞれ独立した状態で圧縮された後にパッケージされて作成され、
前記一括ファイル中に存在する当該専用ファイルを圧縮させた状態のままで前記検出の対象となった前記プリンターに転送されることを特徴とする一括ファイル転送方法。
【請求項３】
請求項１又は請求項２に記載する一括ファイル転送方法であって、
前記一括ファイルが転送される際には、前記一括ファイル中に存在する前記専用ファイルの各々について、
当該専用ファイルに対応可能な機種である前記プリンターが接続されていないことを前記パーソナルコンピューターが検出したときには、当該専用ファイルの転送ができなかった旨を前記パーソナルコンピューターが出力することを特徴とする一括ファイル転送方法。
【発明の詳細な説明】
【技術分野】
【０００１】
本発明は、プリンターの同機種のみに対応可能な各専用ファイルがそれぞれ対応可能な各プリンターにそれぞれ同時に転送される一括ファイル転送方法に関するものである。
【背景技術】
【０００２】
従来より、ファイルの送信先である印刷装置をユーザーが選択できるアプリケーションがある。さらに、そのアプリケーションでは、ユーザーは、印刷装置に送信させるファイルを複数指定することもできる。従って、ユーザーは、自ら選択した送信先の印刷装置に対して、自ら指定した複数のファイルを送信させることを、一回の送信指示で行うことができる（例えば、下記特許文献１参照）。
【先行技術文献】
【特許文献】
【０００３】
【特許文献１】特開２００８−１５８４６号公報
【発明の概要】
【発明が解決しようとする課題】
【０００４】
しかしながら、そのアプリケーションでは、ユーザーは、ファイルの送信先である印刷装置を１台のみしか選択することができない。従って、ファイルの送信先となる印刷装置が複数台あるときは、ユーザーは、ファイルの送信先である印刷装置を選択し直して、その都度、送信指示を行う必要があった。
【０００５】
さらに、ユーザーは、印刷装置の同機種のみにしか対応できない専用ファイルを送信したい場合には、自ら指定した専用ファイルに対応させながらファイルの送信先である印刷装置を選択し直して、あるいは、自ら選択した送信先の印刷装置の機種に対応する専用ファイルに指定し直して、その都度、送信指示を行う必要があった。
【０００６】
そこで、本発明は、上述した点を鑑みてなされたものであり、プリンターの同機種のみに対応可能な各専用ファイルをそれぞれ対応可能な各プリンターにそれぞれ同時に転送させることができる一括ファイル転送方法を提供することを課題とする。
【課題を解決するための手段】
【０００７】
この課題を解決するためになされた請求項１に係る発明は、圧縮された複数のファイルがそれぞれ独立した状態でパッケージされている一括ファイルをパーソナルコンピューターから前記パーソナルコンピューターに接続された一又は複数のプリンターに転送させる際に、前記パーソナルコンピューターが以下（１）〜（３）の各処理を実行する一括ファイル転送方法であって、（１）前記プリンターの同機種のみに対応可能な専用ファイルを前記プリンターの機種に応じて作成し、（２）前記専用ファイルの各々を前記複数のファイルとして前記一括ファイルを作成し、（３）前記一括ファイルを転送する際には、前記一括ファイル中に存在する前記専用ファイルの各々について、当該専用ファイルに対応可能な機種である前記プリンターが接続されていることを検出したときは、前記一括ファイル中に存在する当該専用ファイルを前記検出の対象となった前記プリンターに転送する、ことを特徴とする。
【０００８】
また、請求項２に係る発明は、請求項１に記載する一括ファイル転送方法であって、前記一括ファイルは、前記専用ファイルの各々を前記複数のファイルとしてそれぞれ独立した状態で圧縮された後にパッケージされて作成され、前記一括ファイル中に存在する当該専用ファイルを圧縮させた状態のままで前記検出の対象となった前記プリンターに転送されることを特徴とする。
【０００９】
また、請求項３に係る発明は、請求項１又は請求項２に記載する一括ファイル転送方法であって、前記一括ファイルが転送される際には、前記一括ファイル中に存在する前記専用ファイルの各々について、当該専用ファイルに対応可能な機種である前記プリンターが接続されていないことを前記パーソナルコンピューターが検出したときには、当該専用ファイルの転送ができなかった旨を前記パーソナルコンピューターが出力することを特徴とする。
【発明の効果】
【００１０】
すなわち、本発明の一括ファイル転送方法では、プリンターの同機種のみに対応可能な専用ファイルをプリンターの機種に応じて作成されるが、パーソナルコンピューターは、専用ファイルの各々を複数のファイルとして一括ファイルを作成し、一括ファイルを転送する際には、一括ファイル中に存在する専用ファイルの各々について、当該専用ファイルに対応可能な機種であるプリンターが接続されていることを検出したときは、一括ファイル中に存在する当該専用ファイルを検出の対象となったプリンターに転送しており、一括ファイルの作成についてはプリンターの機種に影響されていないことから、プリンターの同機種のみに対応可能な各専用ファイルをそれぞれ対応可能な各プリンターにそれぞれ同時に転送させることができる。
【００１１】
また、本発明の一括ファイル転送方法では、パーソナルコンピューターは、専用ファイルの各々を複数のファイルとしてそれぞれ独立した状態で圧縮された後にパッケージされて一括ファイルが作成され、一括ファイル中に存在する当該専用ファイルを圧縮させた状態のままで検出の対象となったプリンターに転送させており、このとき、当該専用ファイルは圧縮させた状態のままで転送されるので、転送される当該専用ファイルのデータのサイズが小さく済む。
【００１２】
また、本発明の一括ファイル転送方法では、一括ファイルが転送される際には、一括ファイル中に存在する専用ファイルの各々について、当該専用ファイルに対応可能な機種であるプリンターが接続されていないことをパーソナルコンピューターが検出したときには、当該専用ファイルの転送ができなかった旨をパーソナルコンピューターが出力するので、当該専用ファイルの転送ができなかったことをユーザに伝えることができる。
【図面の簡単な説明】
【００１３】
【図１】本発明の一実施形態に係る一括ファイル転送方法が実現されるネットワークを表した概略図である。
【図２】同一括ファイル転送方法で扱うファイル形式の一例を表した概念図である。
【図３】同一括ファイル転送方法を表した概略図である。
【図４】同一括ファイル転送方法が実現されるネットワークを表したブロック図である。
【図５】同一括ファイル転送方法を実行するためのプログラムのフローチャートを表した図である。
【図６】その他の実施形態に係る一括ファイル転送方法を表した概略図である。
【発明を実施するための形態】
【００１４】
以下、本発明の一実施形態を図面を用いて説明する。先ず、本発明の一実施形態に係る一括ファイル転送方法の概要について、図１乃至図３を使用して説明する。
【００１５】
図１は、本発明の一実施形態に係る一括ファイル転送方法が実現されるネットワーク１Ａを表した概略図である。図１に表されたネットワーク１Ａでは、ネットワーク網２を介して、パーソナルコンピューター１０１に対して、第１プリンター１１Ａや第２プリンター１１Ｂや第３プリンター１１Ｃや第４プリンター１１Ｄ等が接続されている。
【００１６】
第１プリンター１１Ａや第２プリンター１１Ｂや第３プリンター１１Ｃや第４プリンター１１Ｄは、「ラベルプリンター」であって、それぞれ機種が全く異なるものであって、それぞれの機種にしか対応できない専用ファイルを使用することもある。
【００１７】
図２は、本実施の形態に係る一括ファイル転送方法で扱うファイル形式の一例を表した概念図である。本実施の形態に係る一括ファイル転送方法では、図２に表した例では、通常ファイルＡ（専用ファイル）４０１Ａや、通常ファイルＢ（専用ファイル）４０１Ｂや、通常ファイルＣ（専用ファイル）４０１Ｃや、通常ファイルＤ（専用ファイル）４０１Ｄ等が取り扱われる。
【００１８】
通常ファイルＡ（専用ファイル）４０１Ａは、第１プリンター１１Ａの同機種のみに対応可能な専用ファイルである。通常ファイルＢ（専用ファイル）４０１Ｂは、第２プリンター１１Ｂの同機種のみに対応可能な専用ファイルである。通常ファイルＣ（専用ファイル）４０１Ｃは、第３プリンター１１Ｃの同機種のみに対応可能な専用ファイルである。通常ファイルＤ（専用ファイル）４０１Ｄは、第４プリンター１１Ｄの同機種のみに対応可能な専用ファイルである。いずれの通常ファイル（専用ファイル）４０１Ａ，４０１Ｂ，４０１Ｃ，４０１Ｄも、パーソナルコンピューター１０１（上記の図１参照）に記憶されている。
【００１９】
そして、本実施の形態に係る一括ファイル転送方法では、図２に表した例では、通常ファイルＡ（専用ファイル）４０１Ａと通常ファイルＣ（専用ファイル）４０１Ｃと通常ファイルＤ（専用ファイル）４０１Ｄとを使用して、一括ファイル４１０が生成されている。一括ファイル４１０には、圧縮ファイルＡ（専用ファイル）４１１Ａと圧縮ファイルＣ（専用ファイル）４１１Ｃと圧縮ファイルＤ（専用ファイル）４１１Ｄとがそれぞれ独立した状態で含まれている。
【００２０】
圧縮ファイルＡ（専用ファイル）４１１Ａとは、通常ファイルＡ（専用ファイル）４０１Ａを圧縮して生成されたファイルであり、第１プリンター１１Ａの同機種のみに対応可能な専用ファイルである。圧縮ファイルＣ（専用ファイル）４１１Ｃとは、通常ファイルＣ（専用ファイル）４０１Ｃを圧縮して生成されたファイルであり、第３プリンター１１Ｃの同機種のみに対応可能な専用ファイルである。圧縮ファイルＤ（専用ファイル）４１１Ｄとは、通常ファイルＤ（専用ファイル）４０１Ｄを圧縮して生成されたファイルであり、第４プリンター１１Ｄの同機種のみに対応可能な専用ファイルである。
【００２１】
図３は、本実施の形態に係る一括ファイル転送方法を表した概略図である。本実施の形態に係る一括ファイル転送方法では、図３に表した例では、パーソナルコンピューター１０１において一括ファイル４１０がユーザーによって生成される。その後、パーソナルコンピューター１０１において一括ファイル４１０を転送する操作をユーザーが行うと、一括ファイル４１０に含まれている各圧縮ファイル（専用ファイル）４１１Ａ，４１１Ｃ，４１１Ｄがそれぞれ対応可能な各プリンター１１Ａ，１１Ｃ，１１Ｄにネットワーク網２を介して同時にそれぞれ転送される。
【００２２】
すなわち、圧縮ファイルＡ（専用ファイル）４１１Ａは、圧縮された状態のままで、圧縮ファイルＡ（専用ファイル）４１１Ａに対応可能な第１プリンター１１Ａに転送される。圧縮ファイルＣ（専用ファイル）４１１Ｃは、圧縮された状態のままで、圧縮ファイルＣ（専用ファイル）４１１Ｃに対応可能な第３プリンター１１Ｃに転送される。圧縮ファイルＤ（専用ファイル）４１１Ｄは、圧縮された状態のままで、圧縮ファイルＤ（専用ファイル）４１１Ｄに対応可能な第４プリンター１１Ｄに転送される。
【００２３】
図４は、本実施の形態に係る一括ファイル転送方法が実現されるネットワーク１Ａを表したブロック図である。図４のブロック図に表すように、ネットワーク１Ａは、パーソナルコンピューター１０１、ネットワーク網２（例えば、ＬＡＮ等）に加え、そのネットワーク網２に結ばれた各プリンター１１Ａ，１１Ｂ，１１Ｃ，１１Ｄ…等で構成される。
【００２４】
パーソナルコンピューター１０１は、各プリンター１１Ａ，１１Ｂ，１１Ｃ，１１Ｄのホストであって、制御装置１０２や、入力装置１０４、出力装置１０５、ネットワーク通信装置１０６、ＦＬＡＳＨ・ＲＯＭ１０７、ＲＯＭ１０８、ＲＡＭ１０９等を有する。制御装置１０２は、上記各構成部品等を制御するマイクロコントローラであって、各種制御プログラムを実行するものである。入力装置１０４は、キーボードに設けられた各種操作ボタンやマウス等である。出力装置１０５は、液晶ディスプレイ等が使用される。ネットワーク通信装置１０６は、ネットワーク網２に接続するための装置である。ＦＬＡＳＨ・ＲＯＭ１０７は、アプリケーションが記憶された領域１０７ａや、格納エリア１０７ｂや、ワークエリア１０７ｃ等が確保される。アプリケーションは、本実施の形態に係る一括ファイル転送方法を実現するための応用プログラムであるが、ＲＯＭ１０８に記憶されていてもよい。格納エリア１０７ｂは、一括ファイル４１０（上記の図２，図３参照）が記憶される領域である。ワークエリア１０７ｃは、本実施の形態に係る一括ファイル転送方法を実現するための応用プログラムを実行するときに使用される作業領域であるが、ＲＡＭ１０９のみに設けられていてもよい。ＲＯＭ１０８は、各種制御プログラム等が記憶されている。ＲＡＭ１０９は、各制御プログラムを制御装置１０２で実行するときの作業領域を提供する。
【００２５】
第１プリンター１１Ａは、パーソナルコンピューター１０１をホストとする「ラベルプリンター」であって、制御装置１２や、ネットワーク通信装置１３、印刷部１４、ＦＬＡＳＨ・ＲＯＭ１５、ＲＯＭ１６、ＲＡＭ１７、操作キー１８等を有する。制御装置１２は、上記各構成部品等を制御するマイクロコントローラであって、各種制御プログラムを実行するものである。ネットワーク通信装置１３は、ネットワーク網２に接続するための装置である。印刷部１４は、プリンターコマンド（印刷指令や印刷データ等）に基づきラベル用の印字媒体に印刷を行う。ＦＬＡＳＨ・ＲＯＭ１５には、ラベル用の印字媒体に印刷する内容や転送ファイル等が記憶される。転送ファイルとは、上記の図３の例では、圧縮ファイルＡ（専用ファイル）４１１Ａが該当する。ＲＯＭ１６は、各種制御プログラム等が記憶されている。ＲＡＭ１７は、各制御プログラムを制御装置１２で実行するときの作業領域を提供する。操作キー１８は、押下ボタン等が使用される。
【００２６】
第２プリンター１１Ｂや第３プリンター１１Ｃや第４プリンター１１Ｄも、第１プリンター１１Ａと同様な構成を有するので、それらの構成要素の図示や説明は省略する。但し、上述したように、第１プリンター１１Ａや第２プリンター１１Ｂや第３プリンター１１Ｃや第４プリンター１１Ｄは、それぞれ機種が全く異なるものであって、それぞれの機種にしか対応できない専用ファイルを使用することがある。
【００２７】
図５は、本実施の形態に係る同一括ファイル転送方法を実行するためのプログラムのフローチャートを表した図である。すなわち、パーソナルコンピューター１０１のＦＬＡＳＨ・ＲＯＭ１０７の領域１０７ａに記憶されたアプリケーションの主要部分のプログラムである。図５のフローチャートで表されたプログラムはパーソナルコンピューター１０１で行われる。図５によれば、本実施の形態に係る同一括ファイル転送方法は、先ず、Ｓ１１において、一括ファイルの生成処理が行われる。
【００２８】
この処理では、制御装置１０２は、出力装置１０４を使用したユーザーの操作に従って一括ファイルを生成し、その生成された一括ファイルをＦＬＡＳＨ・ＲＯＭ１０７の格納エリア１０７ｂに記憶する。これにより、一又は複数の一括ファイルが、ＦＬＡＳＨ・ＲＯＭ１０７の格納エリア１０７ｂに記憶される。上記の図２，図３の例では、制御装置１０２は、通常ファイルＡ（専用ファイル）４０１Ａと通常ファイルＣ（専用ファイル）４０１Ｃと通常ファイルＤ（専用ファイル）４０１Ｄとを使用して、一括ファイル４１０を生成し、その生成された一括ファイル４１０をＦＬＡＳＨ・ＲＯＭ１０７の格納エリア１０７ｂに記憶する。このとき、制御装置１０２は、一括ファイル４１０には、圧縮ファイルＡ（専用ファイル）４１１Ａと圧縮ファイルＣ（専用ファイル）４１１Ｃと圧縮ファイルＤ（専用ファイル）４１１Ｄとがそれぞれ独立した状態で含ませる。その後は、制御装置１０２はＳ１２に進む。
【００２９】
Ｓ１２では、一括ファイルの選択処理が行われる。この処理では、制御装置１０２は、入力装置１０４を使用したユーザーの操作に従って、ＦＬＡＳＨ・ＲＯＭ１０７の格納エリア１０７ｂに記憶された一括ファイルを一つ選択する。その後は、制御装置１０２はＳ１３に進む。
【００３０】
Ｓ１３では、転送準備処理が行われる。この処理では、上記の図２，図３の例では、上記のＳ１２で一括ファイル４１０が選択されたとすると、制御装置１０２は、その一括ファイル４１０に含まれている各圧縮ファイル（専用ファイル）４１１Ａ，４１１Ｃ，４１１Ｄをそれぞれ独立させた状態のままでＦＬＡＳＨ・ＲＯＭ１０７のワークエリア１０７ｃに記憶する。その後は、制御装置１０２はＳ１４に進む。
【００３１】
Ｓ１４では、対応プリンター検出処理が行われる。この処理では、制御装置１０２は、上記のＳ１２で選択された一括ファイルに含まれている各圧縮ファイル（専用ファイル）に対応可能なプリンターを、パーソナルコンピューター１０１に接続されているプリンターの中から検出する。上記の図２，図３では、制御装置１０２は、上記のＳ１２で選択された一括ファイル４１０に含まれている圧縮ファイルＡ（専用ファイル）４１１Ａに対応可能なプリンター１１Ａと、圧縮ファイルＣ（専用ファイル）４１１Ｃに対応可能なプリンター１１Ｃと、圧縮ファイルＤ（専用ファイル）４１１Ｄに対応可能なプリンター１１Ｄが、パーソナルコンピューター１０１に接続されているプリンターの中にあることを検出する。その後は、制御装置１０２はＳ１５に進む。
【００３２】
Ｓ１５では、制御装置１０２は、上記のＳ１２で選択された一括ファイルに含まれている各圧縮ファイル（専用ファイル）に対応可能なプリンターが、パーソナルコンピューター１０１に接続されているプリンターの中にあるか否かを判断する。この判断は、上記のＳ１４の検出結果に基づく。ここで、上記のＳ１２で選択された一括ファイルに含まれている各圧縮ファイル（専用ファイル）に対応可能なプリンターが、パーソナルコンピューター１０１に接続されているプリンターの中にない場合には（Ｓ１５：ＮＯ）、制御装置１０２はＳ１６に進む。
【００３３】
Ｓ１６では、エラー出力処理が行われる。この処理では、制御装置１０２は、出力装置１０５である液晶ディスプレイにエラーメッセージを表示させる。また、制御装置１０２は、上記のＳ１３の転送準備処理でＦＬＡＳＨ・ＲＯＭ１０７のワークエリア１０７ｃに記憶させた各圧縮ファイル（専用ファイル）を消去する。その後は、制御装置１０２は上記のＳ１２に戻って、上記のＳ１２以降の各処理を繰り返す。
【００３４】
一方、上記のＳ１５において、上記のＳ１２で選択された一括ファイルに含まれている各圧縮ファイル（専用ファイル）に対応可能なプリンターが、パーソナルコンピューター１０１に接続されているプリンターの中にある場合には（Ｓ１５：ＹＥＳ）、制御装置１０２はＳ１７に進む。
【００３５】
Ｓ１７では、転送処理が行われる。この処理では、制御装置１０２は、上記のＳ１３の転送準備処理でＦＬＡＳＨ・ＲＯＭ１０７のワークエリア１０７ｃに記憶させた各圧縮ファイル（専用ファイル）を、それぞれに対応可能なプリンターに転送する。上記の図２，図３の例では、制御装置１０２は、上記のＳ１２で選択された一括ファイル４１０に含まれている圧縮ファイルＡ（専用ファイル）４１１Ａに対応可能なプリンター１１Ａに対して、圧縮ファイルＡ（専用ファイル）４１１Ａを圧縮された状態のままでＦＬＡＳＨ・ＲＯＭ１０７のワークエリア１０７ｃから転送する。また、制御装置１０２は、上記のＳ１２で選択された一括ファイル４１０に含まれている圧縮ファイルＣ（専用ファイル）４１１Ｃに対応可能なプリンター１１Ｃに対して、圧縮ファイルＣ（専用ファイル）４１１Ｃを圧縮された状態のままでＦＬＡＳＨ・ＲＯＭ１０７のワークエリア１０７ｃから転送する。さらに、制御装置１０２は、上記のＳ１２で選択された一括ファイル４１０に含まれている圧縮ファイルＤ（専用ファイル）４１１Ｄに対応可能なプリンター１１Ｄに対して、圧縮ファイルＤ（専用ファイル）４１１Ｄを圧縮された状態のままでＦＬＡＳＨ・ＲＯＭ１０７のワークエリア１０７ｃから転送する。その後は、制御装置１０２はこのプログラムを終了する。
【００３６】
すなわち、本実施の形態に係る一括ファイル転送方法においては、上記の図２の例では、各プリンター１１Ａ，１１Ｂ，１１Ｃ，１１Ｄ…の同機種のみに対応可能な専用ファイル（各通常ファイル４０１Ａ，４０１Ｂ，４０１Ｃ，４０１Ｄや各圧縮ファイル４１１Ａ，４１１Ｂ，４１１Ｃ，４１１Ｄ）を各プリンター１１Ａ，１１Ｂ，１１Ｃ，１１Ｄ…の機種に応じて生成されている。そして、パーソナルコンピューター１０１は、出力装置１０４を使用したユーザーの操作に従って、専用ファイル（各圧縮ファイル４１１Ａ，４１１Ｂ，４１１Ｃ，４１１Ｄ）の各々から複数のファイルとして一括ファイル４１０を生成する（Ｓ１１）。
【００３７】
その一括ファイル４１０が転送される際に（Ｓ１３以降）、パーソナルコンピューター１０１は、一括ファイル４１０中に存在する専用ファイル（上記の図２，図３の例では、各圧縮ファイル４１１Ａ，４１１Ｃ，４１１Ｄ）の各々について、当該専用ファイルに対応可能な機種であるプリンター（上記の図３の例では、第１プリンター１１Ａ，第３プリンター１１Ｃ，第４プリンター１１Ｄ）が接続されていることを検出したときは（Ｓ１４，Ｓ１５：ＹＥＳ）、一括ファイル４１０中に存在する当該専用ファイル（上記の図２，図３等の例では、各圧縮ファイル４１１Ａ，４１１Ｃ，４１１Ｄ）を検出の対象となったプリンター（上記の図３等の例では、第１プリンター１１Ａ，第３プリンター１１Ｃ，第４プリンター１１Ｄ）にそれぞれ転送している（Ｓ１７）。この点、一括ファイル４１０の生成については各プリンター１１Ａ，１１Ｂ，１１Ｃ，１１Ｄ…の機種に影響されていないことから（Ｓ１１）、プリンターの同機種のみに対応可能な各専用ファイル（各通常ファイル４０１Ａ，４０１Ｂ，４０１Ｃ，４０１Ｄや各圧縮ファイル４１１Ａ，４１１Ｂ，４１１Ｃ，４１１Ｄ）をそれぞれ対応可能な各プリンター１１Ａ，１１Ｂ，１１Ｃ，１１Ｄ…にそれぞれ同時に転送させることができる（Ｓ１４）。
【００３８】
また、本実施の形態に係る一括ファイル転送方法では、パーソナルコンピューター１０１は、上記の図２，図３の例では、専用ファイル（各通常ファイル４０１Ａ，４０１Ｃ，４０１Ｄ）の各々を複数のファイルとしてそれぞれ独立した状態で圧縮させた後にパッケージさせて一括ファイル４１０を作成し（Ｓ１１）、一括ファイル４１０中に存在する当該専用ファイル（各圧縮ファイル４１１Ａ，４１１Ｃ，４１１Ｄ）を圧縮させた状態のままで検出の対象となったプリンター（第１プリンター１１Ａ，第３プリンター１１Ｃ，第４プリンター１１Ｄ）に転送させている（Ｓ１７）。この点、当該専用ファイル（各圧縮ファイル４１１Ａ，４１１Ｃ，４１１Ｄ）は圧縮させた状態のままで転送されるので、転送される当該専用ファイル（各圧縮ファイル４１１Ａ，４１１Ｃ，４１１Ｄ）のデータのサイズが小さく済む。
【００３９】
また、本実施の形態に係る一括ファイル転送方法では、上記の図２，図３の例で示す形態とは異なるが、パーソナルコンピューター１０１は、一括ファイル４１０が転送される際に（Ｓ１３以降）、一括ファイル４１０中に存在する専用ファイル（各圧縮ファイル４１１Ａ，４１１Ｃ，４１１Ｄ）の各々について、当該専用ファイルに対応可能な機種であるプリンター（第１プリンター１１Ａ，第３プリンター１１Ｃ，第４プリンター１１Ｄ）が接続されていないことを検出したときは（Ｓ１４，Ｓ１５：ＮＯ）、当該専用ファイルの転送ができなかった旨（エラーメッセージ）をパーソナルコンピューター１０１が出力装置１０５である液晶ディスプレイに出力するので（Ｓ１６）、当該専用ファイル（各圧縮ファイル４１１Ａ，４１１Ｃ，４１１Ｄ）の転送ができなかったことをユーザに伝えることができる。
【００４０】
尚、本発明は上記実施の形態に限定されるものでなく、その趣旨を逸脱しない範囲で様々な変更が可能である。
例えば、本実施の形態に係る一括ファイル転送方法において、上記の図２，図３の例では、一括ファイル４１０中に存在する専用ファイルが、各圧縮ファイル４１１Ａ，４１１Ｃ，４１１Ｄであったが、圧縮される前の各通常ファイル４０１Ａ，４０１Ｃ，４０１Ｄであってもよい。
【００４１】
また、本実施の形態に係る一括ファイル転送方法が実現されるネットワーク１Ａでは、図１や図３に表されるように、ネットワーク網２を介して、パーソナルコンピューター１０１に対して、第１プリンター１１Ａや第２プリンター１１Ｂや第３プリンター１１Ｃや第４プリンター１１Ｄ等が接続されている。この点、図６に表したネットワーク１Ｂのように、第１プリンター１１Ａや第２プリンター１１Ｂや第３プリンター１１Ｃや第４プリンター１１Ｄ等がケーブル３，４，５，６（例えば、ＵＳＢケーブル）を介してパーソナルコンピューター１０１に直接に接続されても良い。尚、図６は、その一括ファイル転送方法を表した概略図であるが、図３と同一部分には同一符号を付し、それらの構成の説明を省略する。
【００４２】
また、本実施の形態に係る一括ファイル転送方法において、パーソナルコンピューター１０１は、一括ファイルを転送する際に（Ｓ１３〜Ｓ１７）、一括ファイルに含まれている専用ファイルの転送先プリンターのメモリ残量を検出し、その検出結果よりメモリ不足と判断したときは、その専用ファイルを一括ファイルから除外するなどして、その検出対象のプリンターについては専用ファイルを転送することを中止するようにしてもよい。
【符号の説明】
【００４３】
１１Ａ，１１Ｂ，１１Ｃ，１１Ｄ  プリンター
１０１  パーソナルコンピューター
１０５  出力装置
４０１Ａ，４０１Ｂ，４０１Ｃ，４０１Ｄ  通常ファイル（専用ファイル）
４１０  一括ファイル
４１１Ａ，４１１Ｃ，４１１Ｄ  圧縮ファイル（専用ファイル）
【図１】
2011210184.tif 000003
【図２】
2011210184.tif 000004
【図３】
2011210184.tif 000005
【図４】
2011210184.tif 000006
【図５】
2011210184.tif 000007
【図６】
2011210184.tif 000008